(57)【要約】【課題】ワイヤーの使用なしに歯ブラシ毛を歯ブラシ柄に固定させることができ、高価な設備である射出成型機の作業効率を最大に高め、生産性の向上した歯ブラシの新規製造方法を提供すること。【解決手段】歯ブラシ毛ｈを、通孔の形成された、厚さ１．５〜３．０ｍｍのプラスチック材のヘッドインサート１０の裏面に１〜３ｍｍ突出するように、植え込んだ後、突出した歯ブラシ毛を熱融着させ、歯ブラシ毛ｈが金型の外部に位置するように、歯ブラシ毛ｈの固定されたヘッドインサート１０を金型に装着し、樹脂を注入して射出成形する。
2006527061.tif 000002
【特許請求の範囲】
【請求項１】
通孔１１が形成されてなる厚さ１．５〜３．０ｍｍのプラスチック材のヘッドインサートの裏面に１〜３ｍｍ突出するように、歯ブラシ毛ｈを植え込んだ後、該突出した歯ブラシ毛を熱融着させて、歯ブラシ毛ｈの固定されたヘッドインサート１０を製造し、歯ブラシ毛ｈが金型の外部に位置するように該ヘッドインサート１０を金型に装着し、金型に樹脂を注入して射出成形を行うことを特徴とする歯ブラシの製造方法。
【請求項２】
歯ブラシ毛ｈは、ヘッドインサート１０に形成された通孔１１と同一大きさの通孔１１を有する１次束ね器具及び２次束ね器具を通してヘッドインサート１０に植え込まれることを特徴とする請求項１に記載の歯ブラシの製造方法。
【請求項３】
歯ブラシ毛は、通孔１１に挿合する挿入棒４１を有する底板４０によってヘッドインサート１０に植え込まれることを特徴とする請求項１に記載の歯ブラシの製造方法。
【発明の詳細な説明】
【技術分野】
【０００１】
本発明は、歯ブラシの製造方法に関するものであり、より詳しくは、ワイヤーを使用せず、生産性が向上する歯ブラシの製造方法に関する。
【背景技術】
【０００２】
一般の歯ブラシの製造方法は、ヘッド部に孔が形成された歯ブラシ柄を成形した後、この孔に、二つに折り曲げられた歯ブラシ毛を植え込み、孔の直径よりやや長くて弾性のある金属製ワイヤーで押し込むことによりヘッド部に歯ブラシ毛を固定させている。
このような伝統的な歯ブラシの製造方法は、歯ブラシ毛の固定が堅くなくて、植え込まれた歯ブラシ毛が抜け出やすい欠点と歯ブラシ柄のヘッド部に形成された孔に異物が詰まり易い衛生上の問題点を持っている。
前記問題点を解決するための従来の技術としては、大韓民国特許第３６０９７７号に開示されているように、歯ブラシ毛を金型に植え込んだ後、金型内に突出した歯ブラシ毛を熱処理で溶融させ、その上に歯ブラシ柄を射出成形することにより、歯ブラシ毛と歯ブラシ柄を一体化する方法がある。
この方法により、歯ブラシ毛が歯ブラシ柄に堅く固定されるとともに、歯ブラシ柄のヘッド部に孔を形成する必要がなくなり、前記のような伝統的な方法に伴う問題点が全く解決された。
【０００３】
しかし、前記従来方法はつぎのような欠点を持っている。
一つ目、形を変えることのできない金型によって射出されるため、歯ブラシ柄の形状に簡単に変えることができないという問題点を持っている。歯ブラシ柄の形は消費者の好みで微妙に変えるものであるので、形が固定されるというのは深刻な問題点であると言える。もちろん、一台の射出機に形の異なった金型を装着して異なった形の歯ブラシ柄を製造することはできるが、この場合の問題点は、異なった形の歯ブラシ柄を有する歯ブラシが同一量で販売されなければならない不便さがある。
二つ目、上記の特許では、一連の製造工程のうち、一つの工程であっても異常が発生する場合、全体工程を中断しなければならない問題点を持っている。上記特許の方法は、（１）金型に歯ブラシ毛を植え込む工程、（２）金型内に差し込んだ歯ブラシ毛を熱融着させる工程、及び（３）歯ブラシ柄を射出成形する工程からなり、これら工程のいずれか一つであっても異常が発生すれば、生産を中断しなければならない。
三つ目、植え込み及び熱融着の工程中には射出機の稼動が中止されるため、高価な設備であることを考えると、時間当たり生産効率が非常に低いという問題点を持っている。
【０００４】
【特許文献１】大韓民國特許第３６０９７７号
【発明の開示】
【発明が解決しようとする課題】
【０００５】
本発明は、前記のような諸般問題点を解決するためのもので、歯ブラシ柄のヘッド部に孔が形成され、ワイヤーが使用される伝統的方法の問題点を解決するとともに生産効率を高め、歯ブラシ柄の形態変更が自由な歯ブラシの製造方法を提供することを目的とする。本発明のほかの目的は、一つの工程に異常が発生しても、ほかの工程に影響を及ぼさない歯ブラシの製造方法を提供することにその目的がある。
【課題を解決するための手段】
【０００６】
本発明は、上記課題を解決するための歯ブラシを製造する方法を提供するものである。
本発明は、通孔が形成されてなる厚さ１．５〜３．０ｍｍのプラスチック材のヘッドインサートの裏面に１〜３ｍｍ突出するように、歯ブラシ毛を植え込んだ後、突出した歯ブラシ毛を熱融着させることで、歯ブラシ毛の固定されたヘッドインサートを製造し、歯ブラシ毛が歯ブラシ柄製造用金型の外部に位置するように、歯ブラシ毛が固定されたヘッドインサートを金型に装着し、金型に樹脂を注入して射出成形を行うことからなる。
【発明の効果】
【０００７】
本発明によれば、ワイヤーを使用せずに、歯ブラシ毛を歯ブラシ柄に固定させることができ、高価な設備である射出成型機の作業効率を最大に高めることができる。さらに、本発明によれば、歯ブラシ柄の形態を自由に変更することができ、一つの工程に異常が発生しても、ほかの工程に影響を及ぼさないので、生産効率を極大化することができる。
【発明を実施するための最良の形態】
【０００８】
以下、本発明を添付図面に基づいて詳細に説明する。
図１は本発明に使用されるヘッドインサート１０の斜視図である。ヘッドインサートの材質はプラスチックであり、厚さは１．５〜３．０ｍｍの範囲である。ヘッドインサートの厚さがこの範囲未満の場合は、後述する熱融着工程で歪みが発生するおそれがある。また、この範囲を超える場合は、歯ブラシのヘッド部が厚すぎる問題点が発生する。
ヘッドインサート１０には、歯ブラシ毛が植え込まれるように、通孔１１が形成されている。この通孔１１は、ワイヤーが使用される従来技術のように均一な大きさを有する必要がなく、植え込まれる歯ブラシ毛の配置を考慮して大きさ及び形態を調節することができる。
植え込み方法は、所望長さに切断された歯ブラシ毛を図２のような形態の１次束ね器具２０に収容した後、図３のような２次束ね器具３０に移動し、さらにヘッドインサート１０に装入する。１次束ね器具２０及び２次束ね器具３０とヘッドインサート１０は互いに連携して同一形態の通孔１１を有する。
１次束ね器具２０及び２次束ね器具３０は、歯ブラシ毛ｈをヘッドインサート１０に伝達する役割に何回も使用するものであるので、耐久性に優れた金属材質でなければならない。
歯ブラシ毛ｈが１次束ね器具２０に収容される過程は、１次束ね器具２０に形成された通孔１１と挿合可能な形態の挿入棒４１を備えた底板４０（図４参照）が歯ブラシ毛ｈを１次束ね器具２０に押し込むことによりなされる。
ヘッドインサート１０に歯ブラシ毛ｈが植え込まれる過程は、１次束ね器具２０、２次束ね器具３０及びヘッドインサート１０に形成された通孔１１が一致するように互いに接触した状態で、底板４０が、１次束ね器具２０に収容された歯ブラシ毛ｈを２次束ね器具３０及びヘッドインサート１０側に押し出すことによりなされる（図５参照）。歯ブラシ毛ｈは、ヘッドインサート１０の裏面に１〜３ｍｍの範囲で突出するように植え込まれる。上述するように、突出部がこの範囲未満の場合は、後述する熱融着工程によって通孔１１を塞ぐことが難しくなり、この範囲を超える場合は、歯ブラシのヘッド部が厚すぎる問題点が発生する。
ヘッドインサート１０に歯ブラシ毛ｈが植え込まれた状態で、ヘッドインサート１０の裏面に突出した歯ブラシ毛が加熱によって溶融してヘッドインサート１０に堅く固定されるとともに通孔１１を塞ぐことになる（図６参照）。
歯ブラシ毛ｈが固定されたヘッドインサート１０を、図７に示すように、歯ブラシ毛ｈが金型の空孔の外部に位置するように、自動移動挿入装置ｓによって歯ブラシ射出用金型に装着させた後、樹脂を射出成形することで、製作が完了される。この際、歯ブラシｈの固定されたヘッドインサート１０が射出圧力によって外側に飛び出されることを防止するためには、固定ピンｐでヘッドインサート１０を押し付けることが必要である。これにより、歯ブラシ毛ｈ、ヘッドインサート１０及び歯ブラシ柄が一体化され、歯ブラシ毛ｈが歯ブラシ柄から外れてしまうことを完全に防止できる。図８は本発明により製作した歯ブラシの完成図である。
【図面の簡単な説明】
【０００９】
【図１】本発明に使用されるヘッドインサートの斜視図
【図２】本発明に使用される１次束ね器具の側断面図
【図３】本発明に使用される２次束ね器具の側断面図
【図４】本発明に使用される底板が１次束ね器具に挿入された状態を示す側断面図
【図５】歯ブラシ毛がヘッドインサートに植え込まれる状態を示す側断面図
【図６】ヘッドインサートの裏面に突出した歯ブラシ毛が熱融着された状態を示す側断面図
【図７】歯ブラシ毛が固定されたヘッドインサートが金型に装着されて、歯ブラシ柄と一体化するように射出成形される状態を示す概略図
【図８】本発明によって製作された状態の歯ブラシの斜視図
【符号の説明】
【００１０】
１０：ヘッドインサート           
１１：通孔
２０：１次束ね器具        
３０：２次束ね器具
４０：底板                       
４１：挿入棒
ｈ：歯ブラシ毛                   
ｐ：固定ピン
ｓ：自動移動挿入装置
【図１】
2006527061.tif 000003
【図２】
2006527061.tif 000004
【図３】
2006527061.tif 000005
【図４】
2006527061.tif 000006
【図５】
2006527061.tif 000007
【図６】
2006527061.tif 000008
【図７】
2006527061.tif 000009
【図８】
2006527061.tif 000010
【国際調査報告】
2006527061.tif 000011
2006527061.tif 000012